(57)【要約】      （修正有）【課題】最適な座り心地を得たい場合や、加齢や病気等により椅子に座る者の体型が変わった場合に、好みの座部を選択して所望の位置に取り付けることにより最適な座り心地が得られ、また、座部が損傷・汚損された場合には、座部のみを容易に交換することができる椅子を提供する。【解決手段】座部１０の着脱が可能で、脚部５０と背部４０を備えた椅子において、座部の底部１５と受部２０の天部の向い合う位置に、係合される両面ファスナー３０を配列させる。これにより、座部１０が受部２０に対して、椅子に座る者の座り心地のよい位置が選択されて座部１０が装着される。また、厚み・材質・形態の異なる座部に取り替えられることにより、体型等が異なったとしても最適な座り心地の椅子とできる。【選択図】図１
0003189545.tif 000002
【実用新案登録請求の範囲】
【請求項１】
座部が着脱可能とされ、脚部と背部を備えた椅子において、
前記座部の受部が、前記座部の前方に向かって離間して並ぶ桁部材を含み、
前記座部の底部と、前記桁部材の天部との各々の向かい合う位置に、対面する部分が係合される両面ファスナーが配列されて、前記座部が前記受部に対して座部の前後方向の位置を選択して着脱可能とされている、
ことを特徴とする椅子。
【請求項２】
前記受部の少なくとも一方の側部に、前記座部の側方に接して、前記座部の前後方向の取り付け位置を案内する案内部材が備えられている、
ことを特徴とする請求項１に記載の椅子。
【請求項３】
前記座部の底部に、前記桁部材のいずれかの側方と接して、座部の前後方向の取り付け位置を案内する案内部材が備えられている、
ことを特徴とする請求項１又は請求項２に記載の椅子。
【請求項４】
前記椅子は、前記座部が外れることを防止する係止具を備え、
前記係止具が、前記座部と前記受部とを係止させる、
ことを特徴とする請求項１乃至請求項３に記載の椅子。
【請求項５】
前記桁部材がその端部近傍のみに、水平面方向の変形防止部材を備えている、
ことを特徴とする請求項１乃至請求項４に記載の椅子。
【請求項６】
前記背部が傾斜可能とされている、
ことを特徴とする請求項１乃至請求項５に記載の椅子。
【請求項７】
請求項１乃至請求項６のいずれか一項に記載の前記椅子と、異なる特性の複数の座部を含んだ椅子セットにおいて、
前記複数の座部の各々が前記受部と係止される両面ファスナーを備えている、
ことを特徴とする椅子セット。
【考案の詳細な説明】
【技術分野】
【０００１】
本考案は、脚部と背部を備えると共に、座部を容易に取り替えることができる椅子及び椅子セットに関する。詳細には、最適な座り心地を得たい場合や、加齢や病気等により椅子に座る者の体型が変わった場合に、好みの座部を選択して、所望の位置に取り付けることにより、最適な座り心地が得られる椅子及び椅子セットに関する。
【背景技術】
【０００２】
従来の椅子は、座部を取り外す場合には、座部を固定している螺子を外して、座枠ごと座部を取り外すことが必要であるため、容易に座部を取り替えることはできなかった。このため、体型の小さな者や加齢、病気等により体型が変わった者でも、使用している椅子の座面にあわせて腰掛けざるを得ず、最適な座り心地が得られないという課題があった。また、座面の一部が破損したり、汚れた場合であっても、椅子本体ごと交換する必要があり、複数の椅子がセットになった椅子セットの場合には、その買い替えに大きな経費を必要とした。
【０００３】
特許文献１には、腰の疲労や病的体癖を解消でき、座部の硬さが硬、中及び軟の三種類とされて、それらが容易に取替可能な椅子の技術について開示されている。この技術では、座部を受ける座受け面が所定の下り勾配とされ、背もたれ部が椅子に座る者の腰椎の対応する位置とされている。座受け面が下り勾配とされるため、背筋が伸びて姿勢がよくなり、背もたれ部が所定の腰椎に対応する位置とされるため、腰椎に刺激を与えて腰の疲労等が解消されるとされている。
【０００４】
しかし、特許文献１の技術においては、椅子に座る者が座部に座った状態で、背もたれが所定の腰椎に対応する位置とされて、座部と背もたれ部及び座受け面とが、所定の位置関係で固定される必要があった。特許文献１の技術によれば、座部を容易に取替えることが可能であったとしても、座部の位置を椅子に座る者の体型等に合せて、受部に対して前後に移動して位置調整することはできず、椅子に座る者にとって最適な座り心地を提供するという課題を解決することはできなかった。
【０００５】
特許文献２には、座あるいは背のパッドの位置合わせが容易であると共に、使用中にパッドが外れ難く、交換毎にパッドの位置がずれたり、片寄りが生ずることがなく、パッドが簡単に着脱できる椅子の技術について開示されている。この技術では、座あるいは背の少なくとも一方の身体支持構造が、人体に当たるパッドとパッドを支持する構造体本体とに分離されると共に、接合手段を介して着脱可能に構成されている。
【０００６】
さらに、構造体本体には、パッドの周囲を包囲して、パッドを嵌合させる凹部を内方に形成する縁部を備えているとされている。パッドが接合手段を介して着脱可能とされることで、容易にパッドを取り替えできるとされている。そして、パッドが凹部に嵌合されて取り付けられるため、使用中にパッドが外れることもなく、取り替え毎にパッドの位置がずれることもないとされている。
【０００７】
特許文献２の技術においては、パッドが凹部に嵌合され、パッドの位置が常に一定の位置に保たれることにより、座部となるパッドと受部となる構造体本体は常に一定の位置関係に固定されている。特許文献２の技術によれば、座部が容易に取り替え可能となる反面、受部に対して前後に移動して位置調整することはできず、椅子に座る者にとって最適な座り心地を提供するという課題は解決することはできなかった。
【先行技術文献】
【特許文献】
【０００８】
特許文献１：特開２００８−１４９１１０号公報
特許文献２：特開２００７−１１７６００号公報
【考案の概要】
【考案が解決しようとする課題】
【０００９】
本考案が解決しようとする課題は、最適な座り心地を得たい場合や、加齢や病気等により椅子に座る者の体型が変わった場合に、好みの座部を選択して、所望の位置に取り付けることにより、最適な座り心地が得られる椅子を提供することである。また座部が損傷・汚損された場合には、座部のみを容易に交換することができる椅子を提供することである。
【課題を解決するための手段】
【００１０】
本考案の第１の考案は、座部が着脱可能とされ、脚部と背部を備えた椅子において、前記座部の受部が、前記座部の前方に向かって離間して並ぶ桁部材を含み、前記座部の底部と、前記桁部材の天部との各々の向かい合う位置に、対面する部分が係合される両面ファスナーが配列されて、前記座部が前記受部に対して座部の前後方向の位置を選択して着脱可能とされていることを特徴としている。
【００１１】
桁部材の天部に配列される両面ファスナーは、座部の前後方向に伸びて配列されるため、座部が受部に対して前後方向に位置調整されて、椅子に座る者の所望の位置を選択して着脱可能とされている。ここで、所望の位置を選択してとは、椅子に座る者が異なることによる下肢部の長さ、上肢部の長さ、身長、体型等の身体的な特徴、椅子に座る者の着座姿勢の違い等や、椅子が向き合う机の高さ、椅子に座る者の加齢・病気に伴う身体的特徴の変化等に対応して、椅子に座る者の最も快適な位置が選択されることをいう。
【００１２】
座部の底面には、桁部材と向い合う位置に、着脱可能な両面ファスナーが配列されていればよく、座部の形状、厚み、保温性、通気性、材質、硬さ、大きさ等は限定されない。両面ファスナーは、鉤部と環部が係合されるもの、茸状の頭部が環部に係合されるものの外、公知の係合手段のいずれでもよい。また前後方向に伸びて配列されるとは、両面ファスナーが前後方向に伸びて形成されていればよく、幅、形状等は限定されない。また、座部は着脱可能であり、容易に取り替えることができるため、汚損等が発生した場合や、インテリアとしての椅子のデザインを変えたい場合に、座部のみを取り替えることができる。
【００１３】
桁部材は、座部の下方が空くように離間されているため、座部と受部の間に湿気が留まらず、座部の底部から下方に放湿され、受部が変形しにくい。また、座部が椅子から取り外され、長期間保管される間に座部がひねるように変形したとしても、座部は並んで伸びる桁部材で支持しているだけであり、座部の変形に桁部材を追従させることが容易であり、座部が安定して支持される。
【００１４】
受部は、座部の前方に向かって離間して並ぶ桁部材を含めばよく、その形状、材質等は限定されない。また、受部には、椅子の左右に並んだ脚部同士を繋ぐ脚部連結部材と桁部とが、斜め方向の補強部材により連結されていると、受部が水平面方向に変形しない。また、両面ファスナーは、少なくとも桁部材の天部に備えられるようにされればよい。両面ファスナーは、鉤部と環部等の係合部を押圧することにより互いが係合して、離間させることにより互いの係合が外れる公知の両面ファスナーであればよい。
【００１５】
脚部は、その形状、本数、材質等が限定されない。また、座部の両側に肘掛部を備えると、肘掛部の間に座部が挟み込まれて座部が傾きにくく好適である。背部は、座部を所望の位置に調節できるように、その下部が空いていることが好適であるが、これに限定されない。
【００１６】
これにより、椅子に座る者の体型が異なる場合や、椅子に座る者の体型が加齢・病気等によって変化した場合であっても、椅子に座る者にとって最適な座り心地となる位置に、座部の位置を調整することが可能となる。また、座部が汚れた場合には、座部だけを交換して、同一の椅子フレームを長期間使用して、綺麗な椅子の状態で使用することができる。さらに、同一の椅子フレームを利用して、複数のタイプの座部の中から好みの座部を選択して、好みのデザインの椅子とすることも可能である。
【００１７】
本考案の第２の考案は、第１の考案の椅子において、前記受部の少なくとも一方の側部に、座部の側方に接して、座部の前後方向の取り付け位置を案内する案内部材が備えられていることを特徴としている。案内部材は、座部の側部に接するようにして、座部の取り付け位置が決定しやすいように案内されるものであればよく、その形状等は限定されない。
【００１８】
これにより、座部の側面を案内部材に沿わせて、座部を受部に装着させる位置の調整が容易になる。また座部を、椅子の正面に向けて、傾かないように真っ直ぐに装着することが可能となる。
【００１９】
本考案の第３の考案は、第１又は第２の考案の椅子において、前記座部の底部に、前記桁部材のいずれかの側方と接して、座部の前後方向の取り付け位置を案内する案内部材が備えられていることを特徴としている。案内部材は、桁部材の側方に沿って伸びる板体等とされ、桁部材の側部に接するようにして、座部の取り付け位置が決定しやすいように案内されるものであればよく、その形状等は限定されない。
【００２０】
これにより、座部の案内部材を桁部材の側方に沿わせて、座部を受部に装着される位置調整が容易になる。また座部を、椅子の正面に向けて、傾かないように真っ直ぐに装着することが可能となる。
【００２１】
本考案の第４の考案は、第１から第３の考案の椅子において、前記椅子は、座部が外れることを防止する係止具を備え、前記係止具が、前記座部と前記受部とを係止させることを特徴としている。係止具は、公知の結束ベルト等の係止具等であればよく限定されない。また係止具は、座部と受部のいずれかの箇所とが係止されればよく、例えば座部と桁部材とが係止されるものとすればよい。これにより、椅子に座る者が姿勢を変えて座部への荷重が偏っても、座部をつかんで椅子を持ち上げる場合にも、座部が受部から外れにくい。
【００２２】
本考案の第５の考案は、第１から第４の考案の椅子において、前記桁部材がその端部近傍のみに、水平面方向の変形防止部材を備えていることを特徴としている。変形防止部材は、斜め補強材やＬ字金具等により、受部の水平面内の変形が防止されるものとされればよい。また、端部近傍にのみ備えるようにしておくと、座部の下方に空間を維持したまま、座部がぐらつかない椅子とし、座部からの湿気が放湿し易い。
【００２３】
本考案の第６の考案は、第１から第５の考案の椅子において、前記背部が傾斜可能とされていることを特徴としている。背部の傾斜角度は、椅子フレームに対して軸動可能とされた背部が、椅子に座る者の背中に馴染むように傾斜して固定することができればよい。これにより、加齢により腰が曲がった高齢者にとっても、ソファーのように背部にもたれ掛かかり座る者にとっても、椅子に座る者の背中が椅子の背部に馴染む最適な座り心地が得られる椅子とすることができる。
【００２４】
本考案の第７の考案は、第１から第６の考案の椅子と、異なる特性の複数の座部を含んだ椅子セットにおいて、前記複数の座部の各々が前記受部と係止される両面ファスナーを備えていることを特徴としている。ここで、特性の異なる座部とは、形態、厚み、保温性、通気性、材質、硬さ、大きさ等をいう。子供や高齢者等の身長の低い者には、薄い座部として床面からの高さを低くし、身長が高い者には、座部の厚みを厚くすることで、座部の床面からの高さを調整して、座り心地のよい椅子とすることができる。また、厚さの異なる座部であっても座り心地を一定とするために、分厚い座部を使用する場合には、上方側を柔らかいクッション材とし、下方側を剛性の高い材質とすればよい。
【００２５】
また、夏季には通気性のよい座部とし、冬季は保温性の高い座部とし、季節に合わせて最適な材質の座部に交換可能としてもよい。また、電気ヒータ等を内蔵するものとしてもよく、臀部が載る位置に孔を空けて、痔の患者用に臀部への圧力の小さな椅子としてもよい。
【００２６】
これにより、同一の椅子フレームを使用し、椅子に座る者が異なっても、快適な座り心地のよい椅子を提供することができる。また、使用される季節や椅子に座る者の好み等に応じて、最適な座部を選択することにより、より快適な椅子とできる。また製造者は、同一の椅子フレームを使用して多数のバリエーションの椅子セットを容易に提供することができる。
【考案の効果】
【００２７】
・本考案の第１の考案によれば、椅子に座る者の体型が異なる場合や、椅子に座る者の体型が加齢・病気等によって変化した場合であっても、椅子に座る者にとって最適な座り心地となる位置に、座部の位置を調整することが可能となる。また、座部が汚れた場合には、座部だけを交換して、同一の椅子フレームを長期間使用して、綺麗な椅子の状態で使用することができる。さらに、同一の椅子フレームを利用して、複数のタイプの座部の中から好みの座部を選択して、好みのデザインの椅子とすることも可能である。
・本考案の第２の考案によれば、座部の側面を案内部材に沿わせて、座部を受部に装着させる位置の調整が容易になる。また座部を、椅子の正面に向けて、傾かないように真っ直ぐに装着することが可能となる。
・本考案の第３の考案によれば、座部の案内部材を桁部材の側方に沿わせて、座部を受部に装着される位置調整が容易になる。また座部を、椅子の正面に向けて、傾かないように真っ直ぐに装着することが可能となる。
【００２８】
・本考案の第４の考案によれば、椅子に座る者が姿勢を変えて座部への荷重が偏っても、座部をつかんで椅子を持ち上げる場合にも、座部が受部から外れにくい。
・本考案の第５の考案によれば、座部の下方に空間を維持したまま、座部がぐらつかない椅子とし、座部からの湿気が放湿し易い。
・本考案の第６の考案によれば、加齢により腰が曲がった高齢者にとっても、ソファーのように背部にもたれ掛かかり座る者にとっても、椅子に座る者の背中が椅子の背部に馴染む最適な座り心地が得られる椅子とすることができる。
・本考案の第７の考案によれば、同一の椅子フレームを使用し、椅子に座る者が異なっても、快適な座り心地のよい椅子を提供することができる。また、使用される季節や椅子に座る者の好み等に応じて、最適な座部を選択することにより、より快適な椅子とできる。また製造者は、同一の椅子フレームを使用して複数のバリエーションの椅子セットを容易に提供することができる。
【図面の簡単な説明】
【００２９】
【図１】椅子を説明する斜視図（実施例１）。
【図２】座る者に応じて座部が位置調整された状態を説明する側面図（実施例１）。
【図３】座部に案内部材が備えられた椅子を説明する断面図（実施例２）。
【図４】桁部材に案内部材が備えられた椅子を説明する断面図（実施例３）。
【図５】係止具が備えられた椅子を説明する断面図（実施例４）。
【図６】背部が傾斜可能な椅子を説明する側面図（実施例５）。
【考案を実施するための形態】
【００３０】
以下、本考案の椅子の実施例を、図面を参照して説明する。下記のいずれの実施例においても、椅子の脚部、背部、受部の大きさ、形状は変更されておらず、同一の椅子フレームとして説明する。
【実施例１】
【００３１】
図１，図２を参照して、座部の位置調整が可能であると共に、座部が交換可能な椅子の実施例１を説明する。図１は、実施例１の椅子の構成を斜視図により説明する説明図であり、図２は、椅子に座る者の体型等が異なる場合に、座部の厚さと位置を調整して座り心地をよくした椅子を側面図によって説明する説明図である。
【００３２】
まず、図１を参照して、椅子１の構成を説明する。図１（Ａ）図は、椅子１の斜視図であり、図１（Ｂ）図は、座部１０の底部１５側から見た斜視図及び座部を取外した状態の椅子１の斜視図である。また図１（Ｂ）図は、理解を容易にするため、図面上で手前側にある前方側の脚部５０と肘掛５２を省略している。椅子１は、床面から座面までの高さが約４０ｃｍであり、座部の厚みが約１０ｃｍ、床面から背部の頂部までの高さが約８０ｃｍ、横幅が約５０ｃｍ、奥行きが約４５ｃｍの椅子である。
【００３３】
椅子１は、２本の前方側の脚部５０と２本の後方側の脚部５１と脚部と座部を挟んで屈曲されている肘掛５２とにより形成された椅子フレームと、座部１０と、背部４０とから構成されている。肘掛５２の後方は、背部４０を挟んで上方に伸びている。また、背部４０の下方には、隙間とされた背抜き４１が形成されている。
【００３４】
座部１０は、略直方体形状とされ、前方側が側方に膨らんで形成され、膨らみ部１６が肘掛５２の前面に接するようにされている。座部１０の長さは、膨らみ部１６が肘掛５２に接した状態で、背抜き４１から僅かに突出される長さとされている。また、座部の厚さは座部毎に異なる厚さとされ、椅子に座る者の体型等に応じて、床からの高さが変えられるようにされている（図２参照）。また座部１０は、その底部１５に桁部材２１と向い合う位置に筋状の両面ファスナー３０が備えられている。
【００３５】
座部１０は、筋状の両面ファスナー３０が係合される位置を前後方向に変えることにより、その取り付け位置が変えられる。ここで、座部１０の位置は、背抜き４１から僅かに突出される位置より前とし特に限定されず、椅子に座る者が好適な座り心地が得られる位置とすればよい。
【００３６】
受部２０は、脚部連結部材２２、２３と、各々の脚部連結部材の間に架設された桁部材２１と、脚部連結部材と桁部材とを固定して変形を防止する斜め方向の補強部材２４とから構成されている。桁部材２１の天部には座部の底部１５と向い合う位置に筋状の両面ファスナー３０が備えられている。また桁部材２１は、座部の下方に空きができるように、互いが離間されて配置されている。
【００３７】
脚部連結部材２２、２３は、左右の脚部に亘って架設され、左右の脚部を連結し、脚部連結部材２２、２３は、座部の下方に空きができるように配置されている。斜め方向の補強部材２４は、桁部材２１と脚部連結部２２，２３とを斜めに繋ぎ、座部の下方に空きができるようにされている。
【００３８】
次に図２（Ａ）から図２（Ｄ）図を参照して、体型等が異なる者に合せて、座部の厚さと位置が調整されて、最適な座り心地とされた椅子の例を説明する。また、各図において、座部の位置と厚さ以外の構成は、椅子１と同様である。また理解を容易にするため、肘掛の記載を省略している。
【００３９】
まず、図２（Ａ）図は、加齢により腰の曲がった高齢の女性６０が、椅子２に座っている状態を示している。女性６０の上肢部６２から臀部６３までの長さに合せるように、座部１１を後方にずらして、膝裏と座部前面が近い位置となるように位置調整されている。また、床面１７からの座面の高さｈ１は、女性６０の下肢部６１の長さよりもわずかに短くなるように、厚さが薄い座部が選択され、足が床面に着きやすくされている。このように、椅子２は座部の高さと位置とが調整されていることにより、背部４０が曲がった背中に軽く接した状態で、足の裏全体が床面１７に届き、女性６０の体型に合せた最適な座り心地のよい椅子となる。
【００４０】
次に図２（Ｂ）図は、太った男性７０が椅子３に座っている状態を示している。座部１２は、男性７０の上肢部７２から臀部７３までの長さに合せた位置に調節されている。また床面１７からの座面の高さｈ２は、男性７０の下肢部７１の長さよりもわずかに短くなるように厚さが薄い座部が選択され、足が床面に着きやすくされている。このように、座部の位置と高さとが調整された椅子３に男性７０が着座すると、背部４０が背中に接した状態で、足の裏全体が床面１７に届き、男性７０の体型に合せた最適な座り心地とされる。
【００４１】
次に図２（Ｃ）図は、長身の男性８０が椅子４に座っている状態を示している。男性８０の上肢部８２から臀部８３の長さに合せて、座部１３が前方となるように位置調節されて、上肢部の下側に接する部分が長くされている。また、床面１７からの座面の高さｈ３は、男性８０の下肢部８１の下面の高さに適合するように、厚さの厚い座部が選択され、窮屈感を感じないようにされている。このように座部の位置と高さとが調整されていることにより、背部４０が背中に接した状態で、脚を前方に投げ出さなくても窮屈感を感じることがなく、男性８０の体型に合せた最適な座り心地とされる。
【００４２】
次に図２（Ｄ）図は、長身の男性９０がソファーにもたれ掛かるように、下肢部９１を前方に投げ出して、椅子５に座っている状態を示している。男性９０の身長は、男性８０と同程度とされている。座部１４は、上肢部９２から臀部９３までの長さと、男性９０の着座姿勢に応じて、前方となるように位置調節されて、前述の図２（Ｃ）図に示した座部１３と比べて、上肢部の下側に接する部分がさらに長くされている。また、床面１７からの座面の高さｈ４は、座面の高さｈ３と同じ高さとされている。このように座部の位置と高さとが調整された椅子５は、ソファーにもたれ掛かるようなリラックスした状態で使用されたとしても、男性９０の着座姿勢に応じた最適な座り心地とされる。
【実施例２】
【００４３】
実施例２では、図３を参照して、座部に案内部材を備えた椅子６について説明する。図３（Ａ）図は、椅子６の座部と受部の端部における横断面を拡大した説明図である。理解を容易にするため、案内部材周辺のみを示している。図３（Ａ）図は、案内部材１００が座部の底部に備えられている椅子６の説明図であり、図３（Ｂ）図は、両面ファスナー１０４を拡大した図である。
【００４４】
椅子６は、桁部材１０２の側部に接するように、座部の底部に案内部材１００が形成されている。案内部材１００は、矩形断面形状とされ、座部１０１の底部１０３に、椅子の前方に伸びるように形成されている。座部１０１を取り付ける際には、案内部材１００の内側面を桁部材１０２の外側面に接するようにして、椅子に座る者の所望の前後方向の位置に合わせて、座部１０１を下方に下ろし、座部の底部と桁部材の天部の向い合う位置に設けられた両面ファスナー１０４を係合させるようにする。そうすると、案内部材１００が桁部材１０２に接した状態のまま、座部１０１を真正面に向けて装着できる。また、案内部材１００は、桁部材１０２のいずれか一方の側部に備えられていてもよく、左右両方の桁部材に備えられてもよい。
【００４５】
ここで、両面ファスナー１０４は、座部１０１側に鉤部１０４ａが備えられ、桁部材１０２側に環部１０４ｂが備えられている。座部側に鉤部１０４ａが備えられていることにより、座部１０１を取り外した際に床面や絨毯の上に置かれたとしても、鉤部１０４ａに繊維や髪の毛が絡みにくく、係合力が低下しにくい。
【実施例３】
【００４６】
実施例３では、図４を参照して、受部に案内部材を備えた椅子７について説明する。図４（Ａ）図は、椅子７の座部と受部の端部における横断面を拡大した説明図である。理解を容易にするため、案内部材周辺のみを示している。図４（Ａ）図は、案内部材１１０が桁部材の側部に備えられている椅子７の説明図であり、図４（Ｂ）図は、両面ファスナー１１４を拡大した図である。
【００４７】
椅子７は、桁部材１１２の側部に沿って、上方に向かって屈曲した断面とされた略Ｌ字形状の案内部材１１０が形成されている。座部１１１を取り付ける際には、座部の外側面１１３を案内部材１１０の内側面に接するようにして、椅子に座る者の所望の前後方向の位置に合わせて、座部１１１を下方に下ろし、座部の底部と桁部材の天部の向い合う位置に設けられた両面ファスナー１１４を係合させるようにする。案内部材１１０は、桁部材１１２のいずれか一方の側部に備えられてもよく、左右両方の側部に備えられてもよい。
【００４８】
椅子７の座部１１１の底部には座部脚部１１５が設けられている。これにより、図４（Ｂ）図に示したように、環部１１４ａを座部の底部に設けた場合であっても、座部１１１を取り外して長期間水平に保管しても、各々の環が潰れず、また埃などが付着しにくい。また、鉤部１１４ｂが桁部材１１２の天部に設けられても、受部から案内部材が立ち上がっているため、桁部材１１２に物が置かれて潰されることがない。座部脚部１１５が形成されていることにより、両面ファスナー部１１４の鉤部と環部が、座部側、受部側のいずれに設けられていても、その係合力は低下しにくい。
【実施例４】
【００４９】
実施例４では、図５を参照して、係止具１２０を備えた椅子８について説明する。図４（Ａ）は、椅子８を床面側から見上げた斜視図による説明図である。また理解を容易にするため、座部と受部以外を省略している。図４（Ｂ）図は、椅子８の前後方向断面図による説明図である。また、理解を容易にするため係止具１２０周辺のみを拡大して示している。
【００５０】
係止具１２０は、ベルト同士を締め付けて係止する止め金具１２１と、座部１２４の底部１２５に取り付けられた２本のベルト１２２、１２３とから構成されている。ベルト１２２の一方の端部は、底部１２５に取り付けられて固定され、他方の端部には止め金具１２１が取り付けされている。ベルト１２３は、一方の端部が、底部１２５に取り付けられて固定されている。ベルト１２３の他方の端部が、脚部連結部材１２６を跨いで止め金具１２１に挿入され、ベルト同士が締め付けられて係止される。また止め金具が設けられる場所は、椅子の後方の脚部連結部材１２６に限定されず、その箇所も限定されない。
【実施例５】
【００５１】
実施例５では、図６を参照して、背部が傾斜可能な椅子９について説明する。図６（Ａ）図は、椅子９を側面から見た状態を示している。図６（Ｂ）図は、高齢で腰が曲がった女性１３３が椅子９ａに座っている状態を示している。図６（Ｃ）図は、長身の男性１３５がソファーにもたれ掛かるように、下肢部を前方に投げ出して椅子９ｂに座っている状態を示している。また、図６の各々の図では、理解を容易にするため、肘掛を省略している。
【００５２】
椅子９は、背部１３１が、傾けられるように、背部を挟む両側の脚部１３２に軸支されている。軸体１３０は、背部１３１の側面の中央近傍に備えられる。軸体１３０を軸として背部１３１が傾けられることにより、椅子に座っている者の体型や着座姿勢に応じて、最適な背部の傾斜角度に調整することができる。また、背部１３１は、図示していない固定部により、傾斜角度が調整された状態で傾きが固定されている。
【００５３】
ここで、女性１３３が椅子に座っている状態を、図６（Ｂ）図を参照して説明する。女性１３３が椅子９ａに座る場合には、背部１３１の上方側１３１ａが後方に傾斜され、背部の下方側１３１ｂが前方に突き出されて、女性１３３の曲がった腰部１３４を軽く支えるように傾きが調整されている。このように背部１３１の傾斜角度が調整されることにより、女性１３３の腰部１３４が、背部１３１によって軽く支えられ、最適な座り心地のよい椅子とされる。
【００５４】
次に、男性１３５が椅子９ｂに座っている状態を、図６（Ｃ）図を参照して説明する。男性１３５が椅子９ｂに座る場合には、背部１３１の上方側１３１ａが後方に傾斜され、背部の下方側が前方に突き出されて、背中１３６の全体を支えるように傾きが調整されている。このように背部１３１の傾斜角度が調整されることにより、男性１３５の背中１３６全体が、背部１３１によって均一に支えられ、最適な座り心地のよい椅子とされる。
（その他）
【００５５】
・本考案では、４本の独立させた脚部の椅子を例に挙げて説明したが、これに限定されず、また、座部の形状、材質等が限定されないのは勿論である。
・今回開示された実施の形態はすべての点で例示であって、制限的なものではないと考えられるべきである。本考案の技術的範囲は、上記した説明に限られず、実用新案登録請求の範囲によって示され、実用新案登録請求の範囲と均等の意味及び範囲内でのすべての変更が含まれることが意図される。
【符号の説明】
【００５６】
１，２，３，４，５，６，７，８，９，９ａ，９ｂ…椅子、
１０，１１，１２，１３，１４…座部、１５…底部、
１６…膨らみ部、１７…床面、
２０…受部、２１…桁部材、２２，２３…脚部連結部材、２４…斜め方向の補強部材、
３０…両面ファスナー、４０…背部、４１…背抜き、５０，５１…脚部、５２…肘掛、
６０…女性、７０，８０，９０…男性、
６１，７１，８１…下肢部、６２，７２，８２，９２…上肢部、
６３，７３，８３，９３…臀部、
１００，１１０…案内部材、１０１，１１１…座部、１０２，１１２…桁部材、
１０３…底部，１１３…外側面、１０４，１１４…両面ファスナー、１１５…座部脚部，
１０４ａ，１１４ａ…鉤部、１０４ｂ，１１４ｂ…環部、
１２０…係止具、１２１…止め金具、１２２，１２３…ベルト、１２４…座部、１２５…底部、
１２６…脚部連結部材、
１３０…軸体、１３１…背部、１３１ａ…背部の上方側、１３１ｂ…背部の下方側、
１３２…脚部、１３３…女性、１３４…腰部、１３５…男性、１３６…背中、
ｈ１、ｈ２、ｈ３、ｈ４…座面の高さ
【図１】
0003189545.tif 000003
【図２】
0003189545.tif 000004
【図３】
0003189545.tif 000005
【図４】
0003189545.tif 000006
【図５】
0003189545.tif 000007
【図６】
0003189545.tif 000008
【手続補正書】
【提出日】平成26年1月15日(2014.1.15)
【手続補正１】
【補正対象書類名】実用新案登録請求の範囲
【補正対象項目名】全文
【補正方法】変更
【補正の内容】
【実用新案登録請求の範囲】
【請求項１】
座部が着脱可能とされ、脚部と背部を備えた椅子において、
前記座部の受部が、前記座部の前方に向かって離間して並ぶ桁部材を含み、
前記座部の底部と、前記桁部材の天部との各々の向かい合う位置に、対面する部分が係合される両面ファスナーが配列されて、前記座部が前記受部に対して座部の前後方向の位置を選択して着脱可能とされている、
ことを特徴とする椅子。
【請求項２】
前記受部の少なくとも一方の側部に、前記座部の側方に接して、前記座部の前後方向の取り付け位置を案内する案内部材が備えられている、
ことを特徴とする請求項１に記載の椅子。
【請求項３】
前記座部の底部に、前記桁部材のいずれかの側方と接して、座部の前後方向の取り付け位置を案内する案内部材が備えられている、
ことを特徴とする請求項１又は請求項２に記載の椅子。
【請求項４】
前記椅子は、前記座部が外れることを防止する係止具を備え、
前記係止具が、前記座部と前記受部とを係止させる、
ことを特徴とする請求項１乃至請求項３のいずれか一項に記載の椅子。
【請求項５】
前記桁部材がその端部近傍のみに、水平面方向の変形防止部材を備えている、
ことを特徴とする請求項１乃至請求項４のいずれか一項に記載の椅子。
【請求項６】
前記背部が傾斜可能とされている、
ことを特徴とする請求項１乃至請求項５のいずれか一項に記載の椅子。
【請求項７】
請求項１乃至請求項６のいずれか一項に記載の前記椅子と、異なる特性の複数の座部を含んだ椅子セットにおいて、
前記複数の座部の各々が前記受部と係止される両面ファスナーを備えている、
ことを特徴とする椅子セット。